(57)【要約】【課題】被定着媒体を直接的に加熱できるようにした電球形のトナー定着用ヒータおよびこれを用いた画像形成装置を提供する。【解決手段】トナー定着用ヒータＨｈａ、両端に第１の封止部１ａ１を有する気密な細長い第１の管１ａ、第１の封止部１ａ１から導出された第１のリード部材１ｂ、および第１の管１ａの内部に配設されるとともに第１の封止部１ａ１を経由して第１のリード部材１ｂに接続した白熱フィラメント１ｃを備えている管形電球１と；両端に第２の封止部２ａ１を有するとともに内部に管形電球１を収納し、かつ、内部が排気されて真空になった細長い第２の管２ａ、および第２の封止部２ａ１から導出されるとともに管形電球１の第１のリード部材１ｂが第２の封止部２ａ１を経由して接続した第２のリード部材２ｂを備えている外管２と；を具備している。【選択図】図３
2004170648.tif 000002
【特許請求の範囲】
【請求項１】
両端に第１の封止部を有する気密な細長い第１の管、第１の封止部から導出された第１のリード部材、および第１の管の内部に配設されるとともに第１の封止部を経由して第１のリード部材に接続した白熱フィラメントを備えている管形電球と；
両端に第２の封止部を有するとともに内部に管形電球を収納し、かつ、内部が排気されて真空になった細長い第２の管、および第２の封止部から導出されるとともに管形電球の第１のリード部材が第２の封止部を経由して接続した第２のリード部材を備えている外管と；
を具備していることを特徴とするトナー定着用ヒータ。
【請求項２】
画像形成装置本体と；
請求項１記載のトナー定着用ヒータを備え、被定着媒体がトナー定着用ヒータからほぼ直接的に受熱して加熱されて定着が行われるように構成されていて、画像形成装置本体に配設された定着装置と；
を具備していることを特徴とする画像形成装置。
【発明の詳細な説明】
【０００１】
【発明の属する技術分野】
本発明は、被定着媒体が直接的に加熱できるようにした電球形のトナー定着用ヒータおよびこれを用いた画像形成装置に関する。
【０００２】
【従来の技術】
白熱電球を熱源とする従来の複写機などの画像形成装置のトナー定着装置においては、ヒートローラの内部に１本または並列状態の２本の管形電球を熱源として収納し、ヒートローラを回転させることにより、ヒートローラに接触しながら移動して被定着媒体に付着したトナーを加熱溶融させて定着を行う構成である。そして、ヒートローラは、鉄やアルミニウムなどからなる金属製中空基体の表面をゴム質の表面材で被覆した構造を有し、電動モータの動力源により歯車機構を介して回転駆動されるように構成されている。また、管形電球は、両端にピンチシール部を有する気密な細長い石英ガラス管の内部に白熱フィラメントを管軸方向に長く配設するとともに、希ガスを封入した構造を備えている。
【０００３】
【発明が解決しようとする課題】
しかしながら、ヒートローラは、その構造上熱容量が大ききくて、トナー定着の熱効率が必ずしも高くないとともに、電源を投入してから所要の温度まで上昇するのに長時間を要するという問題がある。そのため、迅速な定着を行えるようにするには、常時加熱して待機状態を維持する必要があり、そのためますます熱効率が低くなる。
【０００４】
そこで、ヒートローラを介在させることなく、管形電球を被定着媒体に直接熱的に接触させて定着することが考えられる。
【０００５】
ところが、この種の管形電球は、石英ガラス管の外表面の温度が４３０〜４５０℃になるために、被定着媒体の紙が焦げてしまうため、被定着媒体に直接熱的に接触させることができない。また、管形電球は、その外径が８ｍｍ程度と小さいため、ヒートローラのようにその外周の一部に被定着媒体を接触させながら加熱するのが難しいという問題もある。
【０００６】
本発明は、被定着媒体を直接的に加熱できるようにした電球形のトナー定着用ヒータおよびこれを用いた画像形成装置を提供することを目的とする。
【０００７】
【課題を達成するための手段】
請求項１の発明のトナー定着用ヒータは、両端に第１の封止部を有する気密な細長い第１の管、第１の封止部から導出された第１のリード部材、および第１の管の内部に配設されるとともに第１の封止部を経由して第１のリード部材に接続した白熱フィラメントを備えている管形電球と；両端に第２の封止部を有するとともに内部に管形電球を収納し、かつ、内部が排気されて真空になった細長い第２の管、および第２の封止部から導出されるとともに管形電球の第１のリード部材が第２の封止部を経由して接続した第２のリード部材を備えている外管と；を具備していることを特徴としている。
【０００８】
本発明および以下の各発明において、特に指定しない限り用語の定義および技術的意味は次による。
【０００９】
＜管形電球について＞    管形電球は、第１の管、第１のリード部材、および白熱フィラメントを備えて構成されている。
【００１０】
第１の管は、透光性、耐熱性、気密性および加工性に優れた材料を用いて形成され、両端に第１の封止部を備えている。例えば、ガラス、透光性セラミックスなど、どのような材料で形成されていてもよい。なお、ガラスは、石英ガラス、高シリカガラス、硬質ガラスおよび微結晶性ガラスなどを用いることができる。また、第１の管は、その長さが被定着媒体のサイズに応じて設定された細長いものである。例えば、Ａ４サイズの被定着媒体をその長辺と平行に定着するためには、有効発熱長が３４０ｍｍで、かつ、この有効発熱長を有する領域の両端に第１の封止部が配置されるように第１の管の長さが設定される。さらに、第１の管の太さは、本発明において特段限定されないが、外径が一般的には６〜１３ｍｍ程度の範囲が推奨され、好適には７〜９ｍｍ程度である。第１の管の肉厚は、０．５〜１．５ｍｍ程度の範囲が推奨され、好適には０．８〜１．２ｍｍ程度である。
【００１１】
第１の封止部は、第１の管の両端にそれぞれ形成されるが、管の構成材料に応じた最適な封止構造を採用することができる。すなわち、第１の封止部は、細長い管の両端に形成されていれば、どのような封止構造であってもよく、ピンチシール、減圧封止、ビード封止およびフレア封止などを採用することができる。例えば、ピンチシール構造を採用する場合、封止部の内部にモリブデン箔などの封着金属箔を気密に埋設して、後述する第１のリード部材と白熱フィラメントとの間の接続を中継することができる。
【００１２】
第１のリード部材は、後述する白熱フィラメントに給電するために用いられ、第１の管の両端にそれぞれ形成される第１の封止部から外部へ導出されている。また、第１のリード部材は、給電ばかりでなく、管形電球を後述する外管の内部の所定位置に支持するために機能させることができる。さらに、第１のリード部材は、棒状、線状、板状などであることを許容する。さらにまた、各封止部から導出された第１のリード部材は、封止部から導出された部分が単線またはより線状をなしているとともに、後述する第２のリード部材との間の管形電球の点滅による熱膨張・収縮を緩衝するために、外部の接続部材に接続する部分がＵ字状をなす薄板状をなしているような複合構成であることを許容する。
【００１３】
白熱フィラメントは、そこへの通電に伴って発熱する手段であり、タングステンなどの耐熱金属線を２重コイルや３重コイルなどに巻回して構成されている。また、管軸方向に均一な温度分布を得るために、コイル部分を複数のセグメントに分割して形成し、かつ、隣接するセグメント間を実質的な非発熱構造にすることが許容される。
【００１４】
管形電球の構成要件について以上説明したが、所望により以下の構成を付加することにより、トナー定着用ヒータの性能が向上したり、機能が追加されたりする。
１．封入ガス    白熱フィラメントの蒸発を抑制して管形電球を長寿命にするために、管の内部に不活性ガス例えばＮ２ガス、希ガスなどを封入することができる。希ガスとしては、Ａｒ、ＫｒおよびＸｅなどが好適であり、特に原子量の大きなＸｅ、Ｋｒが効果的である。
２．アンカー    白熱フィラメントを管軸方向の中心に沿って延在させるために、所望により中間部を適数のアンカー例えばリングアンカーで白熱フィラメントの中間部を支持することができる。
【００１５】
＜外管について＞    外管は、第２の管および第２のリード部材を備えている。
【００１６】
第２の管は、その内部に管形電球を収納するためのもので、内部が真空雰囲気になっていて、両端に第２の封止部を有している。また、外管は、透光性、耐熱性、気密性および加工性に優れた材料であれば、例えばガラス、透光性セラミックスなど、どのようなもので形成されていてもよい。なお、ガラスは、石英ガラス、高シリカガラス、硬質ガラスおよび微結晶性ガラスなどを用いることができる。
【００１７】
さらに、第２の管は、その長さが被定着媒体のサイズに応じて設定された有効長を備えた管形電球を収納できるサイズであることに加えて、両端に一対の第２の封止部を含めたところのサイズを有する細長いものである。また、第２の管は、その太さが本発明において特段限定されないが、外径が一般的には１４〜２３ｍｍ程度の範囲が推奨され、好適には１５〜２０ｍｍ程度の範囲である。第２の管の肉厚は、１．０〜２．０ｍｍ程度の範囲が推奨され、好適には１．２〜１．７ｍｍ程度の範囲である。
【００１８】
さらにまた、外管は、その内部が真空になっている。外管を封止する以前に外管の内部を排気して真空にしてから封止する。排気を行うには、外管の側面に排気用の細管を外管の内部に連通して封着し、細管を排気ポンプに接続して、排気することができる。また、要すれば、真空雰囲気中で外管を封止することにより、外管内部を細管を付設することなしに真空にすることもできる。なお、真空の目安は、１０−１Ｐａ程度以下であればよい。
【００１９】
第２の封止部は、第２の管の両端に形成されていて、第２の管を気密に封止しているとともに、後述する第２のリード部材を気密に導出している。第２の封止部における封止構造は、第１の管において記述した各種封止構造を選択的に採用することができる。
【００２０】
第２のリード部材は、外管の第２の封止部から導出され、第１のリード部材を介して管形電球に対して給電するための手段である。また、要すれば、第２のリード部材を利用して外管を画像形成装置の所定の位置に定置することができる。さらに、第２のリード部材は、第１のリード部材と同様の構成で第２の封止部から導出することができる。
【００２１】
＜本発明のその他の構成について＞    以上説明した本発明の必須構成要件ではないが、以下に示す構成を付加することにより、トナー定着用ヒータの性能が向上したり、機能が追加されたりする。
１．管形電球の保持手段    外管の内部に収納した管形電球を所定の位置（好適には管軸に沿って）に固定するための位置決め手段を配設することができる。例えば、管形電球の第１の封止部を挿通可能な挿通孔を形成した第２の管の内径に近い金属製またはセラミックス製の円盤を２個用意し、これを管形電球の両端の第１の封止部に装着してから、管形電球を第２の管の内部に挿入して、その両端に第２の封止部を形成して組み立てればよい。
２．熱収縮・膨張に対する緩衝手段    本発明のトナー定着用ヒータにおいて、管形電球と第２の管との間の管軸方向の熱膨張・収縮量に差が生じると、管形電球およびまたは第２の管の封止部に応力が作用して、破損ないしクラックを生じやすくなる。熱収縮・膨張に対する緩衝手段は、管形電球と第２の管との間に介在して、第１および第２のリード部材を導電的に接続するが、第２の管に対する管形電球の熱膨張・収縮量による移動を許容する。
【００２２】
また、熱収縮・膨張に対する緩衝手段は、ステンレス鋼、ニッケル、リン青銅などの弾力性のある導電性部材をＵ字状、コイル状または波状などの形状に成形したものからなり、一端が管形電球の第１のリード部材に接続し、他端が第２の管の封止部から内部へ導出した内部リード部材に接続する。
【００２３】
さらに、熱収縮・膨張に対する緩衝手段は、１．において記述した管形電球の保持手段と併用すると、なお一層効果的である。
３．外管の口金    外管を支持するとともに、給電を容易にするために、外管の両端に口金を装着することができる。口金は、絶縁性基体および端子金具または絶縁被覆導線を含んで構成することができる。口金が絶縁性基体および端子金具を含んで構成される場合、絶縁性基体を外管の第２の管の封止部に無機質接着剤を用いて装着し、端子金具を絶縁性基体の内部に収納し、かつ、第２のリード部材に接続する。また、口金が絶縁性基体および絶縁被覆導線を含んで構成される場合、絶縁性基体を外管の第２の管の封止部に無機質接着剤を用いて装着し、絶縁性基体の内部において第２のリード部材と絶縁被覆導線とを接続し、かつ、絶縁被覆導線を絶縁性基体から外部へ導出する。
４．外管の反射手段    外管の表面に反射手段を配設することにより、管形電球から被定着媒体の反対側へ放射した熱を反射して、被定着媒体の加熱に有効に寄与させる手段であり、トナー定着の熱効率を高めるのに効果的である。
【００２４】
また、反射手段は、外管の内面および外面のいずれに配設することができる。しかし、反射手段は、外面に形成する方が容易である。一方、内面の方が反射効率が高くなる。
【００２５】
さらに、反射手段は、熱反射率の高い物質を用いて形成するのがよく、例えば金（Ａｕ）、白金（Ｐｔ）、パラジウム（Ｐｄ）、銀（Ａｇ）およびアルミニウム（Ａｌ）などから選択された一種の金属または複数種からなる合金を用いて既知の各種膜形成法により形成することができる。例えば、熱線反射膜を外管の表面に厚膜形成法、蒸着などの手段により形成する。なお、アルミニウムは、外管の内面に反射手段を形成する場合には、耐熱温度が低いので、不向きである。
【００２６】
さらにまた、反射手段は、外管の背面側の９０〜２４０°の範囲内に形成すると効果的である。
５．赤外線放射手段    赤外線放射手段は、トナー定着の熱効率を高めるのに効果的な手段であり、外管の定着側の表面に赤外線吸収物質を被着させることにより形成することができる。赤外線吸収物質としては、コバルト（Ｃｏ）、マンガン（Ｍｎ）、銅（Ｃｕ）、ニッケル（Ｎｉ）、鉄（Ｆｅ）、ルテニウム（Ｒｕ）、クロム（Ｃｒ）および銀（Ａｇ）のグループから選択された少なくとも一種の金属またはその酸化物を用いると効果的である。上記のグループの中でも、コバルト（Ｃｏ）、マンガン（Ｍｎ）、銅（Ｃｕ）およびクロム（Ｃｒ）の酸化物は、可視光域の輻射を吸収して、長波長の赤外線として再輻射するので、熱効率がより一層高くなり、トナー定着に好適である。
【００２７】
また、赤外線放射手段は、外管の表面の外面に形成するの好ましいが、要すれば内面であってもよい。赤外線放射手段の形成範囲は、定着側の９０〜１８０°の範囲に形成すると効果的であるが、要すれば外管の全周に形成することもできる。
【００２８】
さらに、赤外線放射手段は、厚膜形成法、蒸着などの既知の膜形成方法を用いて形成することができる。
【００２９】
そうして、赤外線放射手段を外管の定着側の表面に配設することにより、赤外線放射手段が管形電球からの放射を吸収してより長波長の赤外線を再輻射するので、被定着媒体のトナーに吸収されやすくなるために、トナーの加熱の熱効率が高くなる。なお、４．において記述した反射手段と併用することにより一層熱効率を高めることができるので、甚だ好適である。
６．定着フィルム    本発明のトナー定着用ヒータと被定着媒体との間に定着フィルムを介在させることができる。定着フィルムは、トナーをトナー定着用ヒータに付着させないで、スムースに送るために用いられる手段であり、要すればこれをエンドレスに形成することができる。また、定着フィルムは、それ自体薄い膜状をなしているとともに、比熱が小さい合成樹脂フィルムから形成されているので、これがトナー定着用ヒータと被定着媒体との間に介在しても、熱容量が頗る小さく、したがって後述する本発明の作用に本質的な差異をもたらすものではない。
【００３０】
＜本発明の作用について＞    本発明においては、以上説明した構成により、管形電球の表面温度が４３０〜４５０℃程度になっても、内部を真空にした外管に管形電球を収納したことで、熱伝導および対流による熱移動が妨げられる結果、外管の外表面の温度を２５０〜３２０℃の範囲内、特に好適には３００℃以下にすることが可能になる。そのため、外管を直接的に被定着媒体に接触させて定着することができる。
【００３１】
したがって、本発明のトナー定着用ヒータを採用することによって、熱容量の頗る大きな定着ローラを用いることなく、直接的に被定着媒体を加熱するように構成することが可能になる。その結果、定着のヒートアップが早くなり、また定着の熱効率も頗る高くなる。このため、従来のように待機中に加熱を継続させる必要がなくなる。
【００３２】
また、本発明においては、管形電球を内部に収納した外管を介して被定着媒体を加熱するので、外管の外径が相対的に大きくなるから、外管を従来の定着ローラに代えて被定着媒体に直接的に接触させやすくなる。
【００３３】
請求項２の発明の画像形成装置は、画像形成装置本体と；請求項１記載のトナー定着用ヒータを備え、被定着媒体がトナー定着用ヒータからほぼ直接的に受熱して加熱されて定着が行われるように構成されていて、画像形成装置本体に配設された定着装置と；を具備していることを特徴としている。
【００３４】
本発明において、「画像形成装置」とは、画像形成装置から定着装置を除いた残余の部分をいう。また、画像形成手段は、記録媒体に間接方式または直接方式により画像情報を形成する画像を形成する手段である。なお、「間接方式」とは、転写によって画像を形成する方式をいう。画像形成装置としては、たとえば電子写真複写機、プリンタ、ファクシミリなどが該当する。
【００３５】
記録媒体としては、たとえば転写材シート、印刷紙、エレクトロファックスシート、静電記録シートなどが該当する。
【００３６】
定着装置は、請求項１記載のトナー定着用ヒータを備え、被定着媒体がトナー定着用ヒータがほぼ直接的に加熱することにより定着が行われるように構成されていて、画像形成装置本体に配設されている。また、トナー定着用ヒータを固定し、これに対して加圧ローラを配設して、この加圧ローラを駆動装置により回転駆動し、それらの間に被定着媒体を挟んで移動させるように構成することができる。また、トナー定着用ヒータと加圧ローラとをともに回転させてもよい。さらに、トナー定着用ヒータが固定および回転のいずれであっても、加圧ローラとトナー定着用ヒータとの間に定着フィルムを介在するように構成することもできる。
【００３７】
【発明の実施の形態】
以下、図面を参照して本発明の実施の形態を説明する。
【００３８】
図１および図２は、本発明のトナー定着用ヒータにおける第１の実施の形態を示し、図１は一部切欠正面図、図２は拡大横断面図である。各図において、トナー定着用ヒータＨは、管形電球１、外管２および口金３を具備して構成されている。
【００３９】
管形電球１は、細長い第１の管１ａ、第１のリード部材１ｂ、白熱フィラメント１ｃおよびリングアンカー１ｄを備えている。細長い第１の管１ａは、外径８ｍｍ、内径６ｍｍの石英ガラス管からなり、両端にピンチシール形の第１の封止部１ａ１を有している。第１の封止部１ａ１の内部には、モリブデン箔１ａ２が気密に埋設されている。そして、細長い第１の管１ａの内部は、真空になっている。
【００４０】
第１のリード部材１ｂは、モリブデン線からなり、細長い第１の管１ａの両端にある各第１の封止部１ａ１、１ａ１から外部へ導出されている。また、第１のリード部材１ｂは、第１の封止部１ａ１、１ａ１の内部でモリブデン箔１ａ２の一端に溶接されている。
【００４１】
白熱フィラメント１ｃは、タングステン線のコイルフィラメントからなり、細長い第１の管１ａの内部にその軸方向に沿って張設され、両端が第１の封止部１ａ１、１ａ２内でモリブデン箔１ａ２、１ａ２の他端に溶接されて継線している。また、白熱フィラメント１ｃは、タングステン線をコイリングして、複数のコイルセグメント１ｃ１がコイルを引き伸ばして形成された連結部１ｃ２により間隔を存して直列した形態を有している。
【００４２】
リングアンカー１ｄは、その複数が白熱フィラメント１ｃ各コイルセグメント１ｃ１間の連結部１ｃ２にそれぞれ配設されている。そして、このリングアンカー１ｄが細長い第１の管１ａの内面に当接することにより、白熱フィラメント１ｃの細長い第１の管１ａに対してセンタリングされるように配慮されている。
【００４３】
外管２は、第２の管２ａおよび第２のリード部材２ｂを備えている。第２の管２ａは、外径１６ｍｍ、内径１３ｍｍの石英ガラス管からなり、両端に第２の封止部２ａ１、２ａ１が形成されている。第２の封止部２ａ１の内部には、モリブデン箔２ａ２が機密に埋設されている。そうして、第２の管ａの内部は、真空雰囲気になっていて、管形電球１を同軸関係に収納している。管形電球１の第１のリード部材１ｂは、外管２の第２の封止部２ａ１の内部に埋設されたモリブデン箔２ａ２の一端に溶接されている。これにより、管形電球１は、外管２内に同軸関係に支持されている。
【００４４】
第２のリード部材２ｂは、モリブデン線からなり、第２の封止部２ａ１の内部に埋設されたモリブデン箔２ａ２の他端に溶接されて外部へ導出されている。
【００４５】
口金３は、絶縁性基体３ａおよび絶縁被覆導線３ｂからなる。絶縁性基体３ａは、アルミナセラミックスの成形体からなり、無機接着剤により第２の封止部２ａ２に接着されている。絶縁被覆導線３ｂは、先端が絶縁性基体３ａの内部で第２のリード部材２ｂに溶接されていて、基端側が絶縁性基体３ａから外部へ延在している。
【００４６】
以下、図３ないし図５を参照して本発明のトナー定着用ヒータのその他の実施の形態について説明する。なお、各図において、図１および図２と同一部分については同一符号を付して説明は省略する。
【００４７】
図３は、本発明のトナー定着用ヒータにおける第２の実施の形態を示す正面図である。本実施形態は、管形電球の保持手段４および熱収縮・膨張に対する緩衝手段５を備えている点で異なる。
【００４８】
すなわち、管形電球の保持手段４は、中央部に挿通孔（図示しない。）を形成し、外径が外管２の内径より若干小さいモリブデン製の一対の円盤からなり、その挿通孔を管形電球１の両端の第１の封止部１ａ１に挿通している。そして、管形電球の保持手段４は、その外周が外管２の内面に当接することにより、管形電球１を外管２の管軸に沿って支持する。
【００４９】
熱収縮・膨張に対する緩衝手段５は、ステンレス鋼（ＳＵＳ  ３０４）の細板をＵ字状に湾曲し、その両端に端子片を溶接してしてなり、第１のリード部材１ｂの中間部に介在している。
【００５０】
そうして、管形電球が点滅に応じて管軸方向に膨張収縮しても、熱収縮・膨張に対する緩衝手段５がこれを吸収するので、外管２との間に応力が作用しない。また、管形電球の保持手段４は、外管２の内面との間で摺接して、管形電球１の外管２に対する熱収縮・膨張による移動を許容する。
【００５１】
図４は、本発明のトナー定着用ヒータにおける第３の実施の形態を示す拡大横断面図である。本実施形態は、外管２に反射手段６を備えている点で異なる。
【００５２】
すなわち、反射手段６は、外管２の外面の図において下半分の１８０°にわたり形成されたＡｕ蒸着膜からなる。
【００５３】
図５は、本発明のトナー定着用ヒータにおける第４の実施の形態を示す拡大横断面図である。本実施形態は、外管２に反射手段６および赤外線放射手段７を備えている点で異なる。
【００５４】
すなわち、反射手段６は、図４と同一構造である。
【００５５】
赤外線放射手段７は、二酸化マンガン（ＭｎＯ２）からなり、外管２の外表面の図において上半分の１８０°にわたり形成されている。
【００５６】
図６および図７は、本発明の画像形成装置における一実施の形態としての複写機を示し、図６は全体の概念的断面、図７は定着装置の断面図である。各図において、１１は読取装置、１２は画像形成手段、１３は定着装置、１４は画像形成装置ケースである。
【００５７】
読取装置１１は、原紙を光学的に読み取って画像信号を形成する。
【００５８】
画像形成手段１２は、画像信号に基づいて感光ドラム１２ａ上に静電潜像を形成し、この静電潜像にトナーを付着させて反転画像を形成し、これを紙などの被定着媒体に転写して画像を形成する。
【００５９】
定着装置１３は、図７に示すように、トナー定着用ヒータＨ、加圧ローラ２１、定着フィルム２２および架台２３などを備えて構成されている。トナー定着用ヒータＨは、図１ないし図５に示す本発明のトナー定着用ヒータにおける第１ないし第４の実施の形態のいずれのものでも用いることができる。加圧ローラ２１は、トナー定着用ヒータＨと圧接関係を有して配設されている。定着フィルム２２は、エンドレスに形成され、トナー定着用ヒータＨを包囲して回転しながらトナー定着用ヒータＨと加圧ローラ２１の間に挟まれて被定着媒体２４を狭圧しながら搬送する。なお、非定着媒体２４は、その表面にトナー１４が付着することにより、画像が形成される。架台２３は、以上の各構成要素（記録媒体２３を除く。）を所定の位置関係に装架している。
【００６０】
そうして、定着装置１３は、トナーＴが付着して画像を形成している被定着媒体２４がトナー定着用ヒータＨと加圧ローラ２１との間に定着フィルム２２を介して挿入されて搬送されるとともに、トナー定着用ヒータの熱を受けてトナーＴが加熱されて溶融し、熱定着が行われる。
【００６１】
画像形成装置ケース１４は、以上の各装置および手段１１ないし１３を収納するとともに、搬送装置、電源装置および制御装置などを備えている。
【００６２】
【発明の効果】
請求項１の発明によれば、両端に第１の封止部を有する気密な細長い第１の管、第１の封止部から導出された第１のリード部材、および第１の管の内部に配設されるとともに第１の封止部を経由して第１のリード部材に接続した白熱フィラメントを備えている管形電球と、端に第２の封止部を有するとともに内部に管形電球を収納し、かつ、内部が排気されて真空になった細長い第２の管、および第２の封止部から導出されるとともに管形電球の第１のリード部材が第２の封止部を経由して接続した第２のリード部材を備えている外管とを具備していることにより、被定着媒体を直接的に加熱できるようにした電球形のトナー定着用ヒータを提供することができる。
【００６３】
請求項２の発明によれば、画像形成装置本体と、請求項１記載のトナー定着用ヒータを備え、被定着媒体がトナー定着用ヒータからほぼ直接的に受熱して加熱されて定着が行われるように構成されていて、画像形成装置本体に配設された定着装置とを具備していることにより、被定着媒体を直接的に加熱できるようにした画像形成装置を提供することができる。
【図面の簡単な説明】
【図１】本発明のトナー定着用ヒータにおける第１の実施の形態を示す一部切欠正面図
【図２】同じく拡大横断面図
【図３】本発明のトナー定着用ヒータにおける第２の実施の形態を示す正面図
【図４】本発明のトナー定着用ヒータにおける第３の実施の形態を示す拡大横断面図
【図５】本発明のトナー定着用ヒータにおける第４の実施の形態を示す拡大横断面図
【図６】本発明の画像形成装置における一実施の形態としての複写機を示す全体の概念的断面
【図７】同じく定着装置の断面図
【符号の説明】
１…管形電球、１ａ…細長い第１の管、１ａ１…第１の封止部、１ａ２…モリブデン箔、１ｂ…第１のリード部材、１ｃ…白熱フィラメント、１ｃ１…コイルセグメント、１ｃ２…連結部、１ｄ…リングアンカー、２…外管、２ａ…第２の管、２ａ１…第２の封止部、２ａ２…モリブデン箔、１ｂ…第１のリード部材、３…口金、３ａ…絶縁基体、３ｂ…絶縁被覆導線、４…管形電球の保持手段、５…熱収縮・膨張に対する緩衝手段
【図１】
2004170648.tif 000003
【図２】
2004170648.tif 000004
【図３】
2004170648.tif 000005
【図４】
2004170648.tif 000006
【図５】
2004170648.tif 000007
【図６】
2004170648.tif 000008
【図７】
2004170648.tif 000009